(57)【特許請求の範囲】
【請求項１】
手動式バルブから突出したステムの先端部に固定した円盤状のハブ、このハブを中心に放射状に延びる複数のスポーク、及び、これらのスポークの延端に結合する円環状のリムを有するハンドルを前記ステムの軸回りに回転することで、前記手動式バルブを開閉するウィルキーであって、
前記ハブの一方の面に当接自在な円盤と、
前記円盤から遠心方向に相反する向きに延出し、前記リムの外周を超える長さを有する一対の操作桿と、
これらの操作桿が延びる方向と略直角に当該操作桿の中間部から平行に延出し、前記スポークの外周に当接自在な一対の短尺の係合アームと、を備え、
一対の前記操作桿は、両手で把持自在な把持部を末端部に有し、
前記ハンドルは、前記ハブの一方の面から突出した前記ステムの延出端部を有し、
前記円盤は、前記延出端部と回転自在に嵌合する嵌合穴を中心部に開口している、ウィルキー。
【請求項２】
前記把持部は、前記操作桿から連続した棒状の握り部を有する、請求項１記載のウィルキー。
【請求項３】
一方の前記把持部は、前記操作桿の末端部から略直角に屈曲し、前記係合アームが延びる方向と同じ方向に延びる棒状の第１ノブを有し、
他方の前記把持部は、前記操作桿の末端部から略直角に屈曲し、前記係合アームが延びる方向と反対方向に延びる棒状の第２ノブを有する、請求項１記載のウィルキー。
【請求項４】
前記把持部は、前記操作桿の末端部に形成した球状の第３ノブを有する、請求項１記載のウィルキー。
【請求項５】
前記把持部は、前記係合アームが延びる方向と反対方向に配置された球状の第４ノブを有する、請求項１記載のウィルキー。
【発明の詳細な説明】
【技術分野】
【０００１】
本発明は、ウィルキーに関する。特に、手動式バルブを開閉するハンドルを回す特殊用途の工具であるウィルキーの構造に関する。
【背景技術】
【０００２】
火力発電所や化学プラントなどでは、各種の流体や気体を移送するために多数の配管を敷設している。そして、これらの配管の流量を調整する流量調整弁や配管の流路を開閉する開閉弁を随所に配置している。開閉弁は、例えば、手動式バルブを使用している。手動式バルブは、ハンドルを回すことにより配管の流路を開閉できる。
【０００３】
火力発電所や化学プラントなどに使用されている手動式バルブは、閉じられた状態、又は開かれた状態で維持されている期間が長く、ハンドルの回転が困難な場合が多い。又、高圧の非圧縮流体を開閉する手動式バルブは、ハンドルの回転が困難な場合が多い。したがって、手動では、ハンドルを回転することが困難である。このため、定期点検などでは、ウィルキーを用いてハンドルを回転させている。ウィルキーをハンドルに係止することにより、ハンドルの回転トルクを増大できるからである。
【０００４】
このようなウィルキーとしては、異なる直径を有する複数種類のハンドルに対応可能な汎用性のあるウィルキーが開示されている（例えば、特許文献１参照）。
【０００５】
特許文献１によるウィルキーは、長尺の操作桿を備え、この操作桿から固定アームと可動アームを延長している。そして、可動アームは、スライド可能に操作桿に装着され、固定アームに対して進退可能に構成している。又、固定アームと可動アームとは、操作桿から外側へ拡がるように配置されている。特許文献１によるウィルキーは、複数種類のウィルキーを現場まで持ち運ぶ必要がなくなり、１本のウィルキーで異なる直径を有するハンドルに対応できる、としている。
【０００６】
一方、特許文献１によるウィルキーは、比較的大径のハンドルの操作には適しているが、人間の片手の掌によって把持して回転させる程度の小径のハンドルの操作には適していないという不具合があった。特に、特許文献１によるウィルキーは、操作桿を把持してハンドルを回転させるため、力加減の調整が難しく、小径のハンドル操作に適用した場合には、過剰なトルクを加えることによって、ハンドルの軸部、又は弁自体を損傷させる心配あった。
【０００７】
上述したような不具合を解消するため、手動操作によるハンドルの回転作業を容易化できるばかりでなく、ハンドルの周辺にある障害物の有無に関係なく操作性がよく、更に、小型、軽量であるために携帯性にも優れ、更に力加減を調整可能であるためにハンドルを破損させることがない小型のハンドル操作用のウィルキーが開示されている（例えば、特許文献２参照）。
【先行技術文献】
【特許文献】
【０００８】
【特許文献１】実開平６−１７８７４号公報
【特許文献２】特開２００８−２９０２２４号公報
【発明の概要】
【発明が解決しようとする課題】
【０００９】
図７は、従来技術による一般的なウィルキーの構成を示す斜視図である。図８は、従来技術による一般的なウィルキーを用いて、手動式バルブが閉じる方向にハンドルを回転している状態を示す斜視図である。図９は、従来技術による一般的なウィルキーがハンドルから外れた状態を示す斜視図である。
【００１０】
図７から図９を参照すると、ウィルキー８は、長尺の操作桿８０と短尺の第１アーム８１及び第２アーム８２を備えている。操作桿８０は、一端側に把持部８ａを有している。第１アーム８１は、操作桿８０の他端側の終端から略直角に屈折している。そして、第１アーム８１は、操作桿８０の長手方向と略直交する方向に延びている。
【００１１】
図７から図９を参照すると、第２アーム８２は、第１アーム８１と所定間隔を設けて配置されている。そして、第２アーム８２は、第１アーム８１と略平行するように、操作桿８０から延びている。操作桿８０及び第１アーム８１及び第２アーム８２は、例えば、鍛造などで一体に成形している。一般に、ウィルキー８は、変形の少ない剛体の工具となっている。
【００１２】
図８を参照すると、手動式バルブ９は、回転自在なハンドル９０を備えている。ハンドル９０は、円盤状のハブ９２、複数のスポーク９３、及び、円環状のリム９４を有している。ハブ９２は、ステム９１とねじ結合している。スポーク９３は、ハブ９２を中心に放射状に延びている。リム９４は、スポーク９３の延端に結合している。ウィルキー８を用いて、ハンドル９０を回転することで、手動式バルブ９を開閉できる。
【００１３】
図８を参照して、スポーク９３及びリム９４の内側に第１アーム８１を当接し、リム９４の外側に第２アーム８２を当接し、操作桿８０をハンドル９０の遠心方向に引っ張りながら、手前側に引き、ハンドル９０を時計方向に回転することにより、手動式バルブ９を閉じることができる。
【００１４】
一方、図８を参照して、スポーク９３及びリム９４の内側に第１アーム８１を当接し、リム９４の外側に第２アーム８２を当接し、操作桿８０をハンドル９０の遠心方向に引っ張りながら、奥側に押し、ハンドル９０を反時計方向に回転することにより、手動式バルブ９を開くことができる。
【００１５】
図８を参照すると、ウィルキー８は、ハンドル９０の中心を跨っていない。又、操作桿８０に対して、第１アーム８１及び第２アーム８２が真直ぐ延びているので、ハンドル９０への着脱が容易である。
【００１６】
図８に示したハンドル９０は、操作者の腰部の高さに配置されているので、ウィルキー８をハンドル９０に係合して回転させることは比較的容易である。一方、図９に示したハンドル９０は、操作者の頭部の高さに配置されているので、ウィルキー８をハンドル９０に係合して回転させることは比較的困難である。図９を参照すると、第１アーム８１及び第２アーム８２は、曲面を形成したリム９４と点接触しているので、ハンドル９０から外れ易いということもあり得る。
【００１７】
図７から図９に示したウィルキー８は、比較的大径のハンドルの操作には適しているが、人間の片手の掌によって把持して回転させる程度の小径のハンドルの操作には適していない。図示したウィルキー８は、操作桿８０を把持してハンドル９０を回転させるため、力加減の調整が難しく、小径のハンドル操作に適用した場合には、過剰なトルクを加えることによって、ハンドル９０の軸部、又は弁自体を損傷させる心配があった。
【００１８】
図１０は、小径のハンドルの操作に適したウィルキーの構成を示す斜視図であり、図１０（Ａ）は、ウィルキーをハンドルに係合する前の状態図、図１０（Ｂ）は、ウィルキーをハンドルに係合した状態図、図１０（Ｃ）は、ウィルキーを片手で把持してハンドルを回転している状態図である。
【００１９】
図１１は、小径のハンドルの操作に適したウィルキーの構成を示す図であり、図１１（Ａ）は、ウィルキーの平面図、図１１（Ｂ）は、ウィルキーの正面図である。図１２は、図１１に示したウィルキーの変形例を示す平面図である。
【００２０】
なお、本願の図１０は、特許文献２の図１に相当している。又、本願の図１１は、特許文献２の図２に相当し、本願の図１２は、特許文献２の図７に相当している。
【００２１】
図１０又は図１１を参照すると、ウィルキー６は、略円形の把持板６１と複数の円柱状の係合突起６２を備えている。把持板６１は、その外径がハンドル７０の外径より大きく形成している。又、把持板６１は、その外周に複数の窪み６１ｄを等間隔に配置している。把持板６１の外周に複数の窪み６１ｄを設けることで、把持板６１を滑らすことなく、片手Ｈで把持板６１を回転できる（図１０（Ｃ）参照）。又、係合突起６２は、把持板６１の一方の面から突出している。
【００２２】
図１０を参照すると、バルブ７は、回転自在なハンドル７０を備えている。ハンドル７０は、ハブ７２、複数のスポーク７３、及び円環状のリム７４を有している。ハブ７２は、ステム７１の先端部に形成している。スポーク９３は、ハブ９２を中心に放射状に延びている。リム９４は、スポーク９３の延端に結合している。係合突起６２は、リム９４とスポーク９３で区画された空間に挿入できる。
【００２３】
図１０（Ａ）に示した状態から、把持板６１をリム７４に載置すると共に、係合突起６２をリム９４とスポーク９３で区画された空間に挿入する（図１０（Ｂ）参照）。次に、把持板６１を片手Ｈで把持し、把持板６１をステム７１の軸回りに回転することで、ハンドル７０を回転できる。そして、バルブ７を開閉できる。
【００２４】
図１２を参照すると、変形例によるウィルキー６０は、小取手６３を更に備えている。小取手６３は、把持板６１の外周から遠心方向に突出している。ウィルキー６０は、片手Ｈで把持板６１を把持してハンドル７０を回転するときに、小取手６３を設けることで、ハンドル７０の回転トルクを増加でき、バルブ７を容易に開閉できる。
【００２５】
図７から図９に示したウィルキー８を用いて、図１０（Ａ）に示した小口径のハンドル７０を回転させると、バルブ７に連結した配管（図示せず）に不要な力が作用して、配管を変形させる心配がある。前述したように、従来技術によるウィルキー８は、ハンドル９０の遠心方向に引っ張りながら、ハンドル９０を回転させるので、配管に捩れ又は撓みなどの変形が発生する心配があった。
【００２６】
一方、図１０又図１１に示したウィルキー６、又は図１２に示したウィルキー６０は、ステム７１を回転する力のみがバルブ７に連結した配管（図示せず）に作用するので、配管を変形させる心配が少ないと考えられる。
【００２７】
しかし、図１０又図１１を参照すると、ウィルキー６、又はウィルキー６０は、片手Ｈで把持できる程度の大きさのハンドルにしか適用できず、ステム７１がバルブ７に固く締まっていた場合には、これを弛める回転トルクが不足するという問題がある。バルブに連結した配管を変形させることなく、バルブを容易に開閉できるウィルキーが求められている。そして、以上のことが本発明の課題といってよい。
【００２８】
本発明は、このような問題に鑑みてなされたものであり、手動式バルブに連結した配管を変形させることなく、手動式バルブを容易に開閉できるウィルキーを提供することを目的とする。
【課題を解決するための手段】
【００２９】
本発明者らは、円盤、円盤の遠心方向に延出した一対の操作桿、及び、操作桿の中間部から延出した一対の係合アームでウィルキーを構成し、ハンドルの中心部と円盤の中心部が一致するように、一対の操作桿をハンドルの上面に当接し、操作桿の末端部を両手で把持して、円盤を中心に一対の操作桿を回転し、一対の係合アームを介してステムを回転することで、手動式バルブには、ステムの回転トルクのみが作用すると考え、これに基づいて、以下のような新たなウィルキーを発明するに至った。
【００３０】
（１）本発明によるウィルキーは、手動式バルブから突出したステムの先端部に固定した円盤状のハブ、このハブを中心に放射状に延びる複数のスポーク、及び、これらのスポークの延端に結合する円環状のリムを有するハンドルを前記ステムの軸回りに回転することで、前記手動式バルブを開閉するウィルキーであって、前記ハブの一方の面に当接自在な円盤と、前記円盤から遠心方向に相反する向きに延出し、前記リムの外周を超える長さを有する一対の操作桿と、これらの操作桿が延びる方向と略直角に当該操作桿の中間部から平行に延出し、前記スポークの外周に当接自在な一対の短尺の係合アームと、を備え、一対の前記操作桿は、両手で把持自在な把持部を末端部に有する。
【００３１】
（２）前記ハンドルは、前記ハブの一方の面から突出した前記ステムの延出端部を有し、前記円盤は、前記延出端部と回転自在に嵌合する嵌合穴を中心部に開口していることが好ましい。
【００３２】
（３）前記把持部は、前記操作桿から連続した棒状の握り部を有してもよい。
【００３３】
（４）一方の前記把持部は、前記操作桿の末端部から略直角に屈曲し、前記係合アームが延びる方向と同じ方向に延びる棒状の第１ノブを有し、他方の前記把持部は、前記操作桿の末端部から略直角に屈曲し、前記係合アームが延びる方向と反対方向に延びる棒状の第２ノブを有してもよい。
【００３４】
（５）前記把持部は、前記操作桿の末端部に形成した球状の第３ノブを有してもよい。
【００３５】
（６）前記把持部は、前記係合アームが延びる方向と反対方向に配置された球状の第４ノブを有してもよい。
【発明の効果】
【００３６】
本発明によるウィルキーは、ハブの一方の面に当接自在な円盤と、円盤から遠心方向に相反する向きに延出した一対の操作桿と、操作桿の中間部から平行に延出し、スポークの外周に当接自在な一対の係合アームと、を備え、操作桿の末端部を両手で把持して、円盤を中心に一対の操作桿を回転し、一対の係合アームを介してステムを回転することで、手動式バルブには、ステムの回転トルクのみが作用するので、手動式バルブに連結した配管を変形させることなく、手動式バルブを容易に開閉できる。
【図面の簡単な説明】
【００３７】
【図１】本発明の第１実施形態によるウィルキーの構成を示す斜視図であり、図１（Ａ）は、ウィルキーを操作側から観た状態図、図１（Ｂ）は、ウィルキーを操作側と反対側から観た状態図である。
【図２】第１実施形態によるウィルキーの構成を示す斜視図であり、ウィルキーに操作される手動式バルブを対向配置した状態図である。
【図３】第１実施形態によるウィルキーの構成を示す図であり、図３（Ａ）は、ウィルキーの平面図、図３（Ｂ）は、ウィルキーの正面図である。
【図４】本発明の第２実施形態によるウィルキーの構成を示す斜視図であり、図４（Ａ）は、ウィルキーを操作側から観た状態図、図４（Ｂ）は、ウィルキーを操作側と反対側から観た状態図である。
【図５】本発明の第３実施形態によるウィルキーの構成を示す斜視図であり、図５（Ａ）は、ウィルキーを操作側から観た状態図、図５（Ｂ）は、ウィルキーを操作側と反対側から観た状態図である。
【図６】本発明の第４実施形態によるウィルキーの構成を示す斜視図であり、図６（Ａ）は、ウィルキーを操作側から観た状態図、図６（Ｂ）は、ウィルキーを操作側と反対側から観た状態図である。
【図７】従来技術による一般的なウィルキーの構成を示す斜視図である。
【図８】従来技術による一般的なウィルキーを用いて、手動式バルブが閉じる方向にハンドルを回転している状態を示す斜視図である。
【図９】従来技術による一般的なウィルキーがハンドルから外れた状態を示す斜視図である。
【図１０】小径のハンドルの操作に適したウィルキーの構成を示す斜視図であり、図１０（Ａ）は、ウィルキーをハンドルに係合する前の状態図、図１０（Ｂ）は、ウィルキーをハンドルに係合した状態図、図１０（Ｃ）は、ウィルキーを片手で把持してハンドルを回転している状態図である。
【図１１】小径のハンドルの操作に適したウィルキーの構成を示す図であり、図１１（Ａ）は、ウィルキーの平面図、図１１（Ｂ）は、ウィルキーの正面図である。
【図１２】図１１に示したウィルキーの変形例を示す平面図である。
【発明を実施するための形態】
【００３８】
以下、図面を参照して本発明を実施するための形態を説明する。
［第１実施形態］
（ウィルキーの構成）
最初に、本発明の第１実施形態によるウィルキーの構成を説明する。
【００３９】
図１は、本発明の第１実施形態によるウィルキーの構成を示す斜視図であり、図１（Ａ）は、ウィルキーを操作側から観た状態図、図１（Ｂ）は、ウィルキーを操作側と反対側から観た状態図である。
【００４０】
図２は、第１実施形態によるウィルキーの構成を示す斜視図であり、ウィルキーに操作される手動式バルブを対向配置した状態図である。図３は、第１実施形態によるウィルキーの構成を示す図であり、図３（Ａ）は、ウィルキーの平面図、図３（Ｂ）は、ウィルキーの正面図である。
【００４１】
（手動式バルブの構成）
次に、本発明によるウィルキーの構成を説明するのに先立ち、ウィルキーに操作される手動式バルブの構成を説明する。図２又は図３を参照すると、手動式バルブ５は、配管Ｐに連結している。配管Ｐには、各種の流体や気体が移送されている。手動式バルブ５は、ハンドル５０を回すことにより配管Ｐの流路を開閉できる。
【００４２】
図２又は図３を参照すると、手動式バルブ５は、回転自在なハンドル５０とステム５１を備えている。ステム５１は、手動式バルブから突出している。ハンドル５０は、円盤状のハブ５２、複数のスポーク５３、及び、円環状のリム５４を有している。
【００４３】
図２又は図３を参照すると、ハブ５２は、ステム５１の先端部に固定されている。スポーク５３は、ハブ５２を中心に放射状に延びている。リム５４は、スポーク９３の延端に結合している。ウィルキー１０を用いて、ハンドル５０をステム５１の軸回りに回転することで、手動式バルブ５を開閉できる。
【００４４】
図２又は図３を参照すると、ハンドル５０は、ステム５１の延出端部５１１を有している。延出端部５１１は、ハブ５２の一方の面から突出している。
【００４５】
（全体構成）
図１から図３を参照すると、本発明の第１実施形態によるウィルキー１０は、円盤１１、一対の操作桿１２・１２、及び一対の短尺の係合アーム１３・１３を備えている。円盤１１は、ハブ５２の一方の面に当接できる。一対の操作桿１２・１２は、円盤１１から遠心方向に相反する向きに延出している。又、一対の操作桿１２・１２は、リム５４の外周を超える長さを有している。
【００４６】
図１から図３を参照すると、一対の係合アーム１３・１３は、操作桿１２が延びる方向と略直角に、操作桿１２の中間部から平行に延出している。そして、一対の係合アーム１３・１３は、スポーク５３の外周に当接できる（図３（Ａ）参照）。一対の操作桿１２・１２は、両手で把持自在な把持部１２１・１２１を末端部に有している。
【００４７】
図１又は図２を参照すると、円盤１１は、嵌合穴１１ｈを中心部に開口している。嵌合穴１１ｈには、延出端部５１１を挿入でき、延出端部５１１と回転自在に嵌合できる。図１から図３を参照すると、把持部１２１は、操作桿１２から連続した棒状の握り部となっている。
【００４８】
図１から図３を参照して、ウィルキー１０は、円盤１１、一対の操作桿１２・１２、及び一対の係合アーム１３・１３を鍛造などで一体に構成することもでき、一対の操作桿１２・１２を円盤１１に溶接で接合してもよい。
【００４９】
（ウィルキーの作用）
次に、第１実施形態によるウィルキー１０の操作方法を説明しながら、ウィルキー１０の作用及び効果を説明する。
【００５０】
図２又は図３（Ｂ）を参照して、最初に、一対の係合アーム１３・１３がハンドル５０に対向するように、ウィルキー１０をハンドル５０に向かって移動する。次に、嵌合穴１１ｈに延出端部５１１を挿入し、一対の操作桿１２・１２の把持部１２１・１２１を両手で把持し、円盤１１を中心として一対の操作桿１２・１２を時計方向Ｒに回転することで（図３（Ａ）参照）、一対の係合アーム１３・１３を介してステム５１を時計方向Ｒに回転できる。そして、手動式バルブ５を閉じることができる。
【００５１】
一方、図２又は図３（Ｂ）を参照して、嵌合穴１１ｈに延出端部５１１を挿入し、一対の操作桿１２・１２の把持部１２１・１２１を両手で把持し、円盤１１を中心として一対の操作桿１２・１２を反時計方向Ｌに回転することで（図３（Ａ）参照）、一対の係合アーム１３・１３を介してステム５１を反時計方向Ｌに回転できる。そして、手動式バルブ５を開くことができる。
【００５２】
図１から図３を参照すると、第１実施形態によるウィルキー１０は、一対の係合アーム１３・１３を介してステム５１を回転することで、手動式バルブ５には、ステム５１の回転トルクのみが作用するので、手動式バルブ５に連結した配管Ｐを変形させることなく、手動式バルブ５を容易に開閉できる。
【００５３】
［第２実施形態］
（ウィルキーの構成）
次に、本発明の第２実施形態によるウィルキーの構成を説明する。図４は、本発明の第２実施形態によるウィルキーの構成を示す斜視図であり、図４（Ａ）は、ウィルキーを操作側から観た状態図、図４（Ｂ）は、ウィルキーを操作側と反対側から観た状態図である。
【００５４】
なお、第１実施形態で使用した符号と同じ符号を有する構成品は、その作用を同じとするので、以下説明を省略することがある。
【００５５】
図４を参照すると、本発明の第２実施形態によるウィルキー２０は、円盤２１、一対の操作桿２２・２２、及び一対の短尺の係合アーム２３・２３を備えている。円盤２１は、ハブ５２の一方の面に当接できる（図２参照）。一対の操作桿２２・２２は、円盤２１から遠心方向に相反する向きに延出している。又、一対の操作桿２２・２２は、リム５４の外周を超える長さを有している（図３参照）。
【００５６】
図４を参照すると、一対の係合アーム２３・２３は、操作桿２２が延びる方向と略直角に、操作桿２２の中間部から平行に延出している。そして、一対の係合アーム２３・２３は、スポーク５３の外周に当接できる（図３（Ａ）参照）。一対の操作桿２２・２２は、両手で把持自在な把持部２２１・２２２を末端部に有している。
【００５７】
図４を参照すると、円盤２１は、嵌合穴２１ｈを中心部に開口している。嵌合穴２１ｈには、延出端部５１１を挿入でき、延出端部５１１と回転自在に嵌合できる。
【００５８】
図４を参照すると、一方の把持部２２１は、棒状の第１ノブｋ１を有している。第１ノブｋ１は、一方の操作桿２２の末端部から略直角に屈曲している。そして、第１ノブｋ１は、係合アーム２３が延びる方向と同じ方向に延びている。
【００５９】
図４を参照すると、他方の把持部２２２は、棒状の第２ノブｋ２を有している。第２ノブｋ２は、他方の操作桿２２の末端部から略直角に屈曲している。そして、第２ノブｋ２は、係合アーム２３が延びる方向と反対方向に延びている。
【００６０】
（ウィルキーの作用）
次に、第２実施形態によるウィルキー２０の操作方法を説明しながら、ウィルキー２０の作用及び効果を説明する。
【００６１】
図２又は図３（Ｂ）を援用すると共に、図４を参照して、最初に、一対の係合アーム２３・２３がハンドル５０に対向するように、ウィルキー２０をハンドル５０に向かって移動する。次に、嵌合穴２１ｈに延出端部５１１を挿入し、一対の操作桿２２・２２の把持部２２１・２２２を両手で把持し、円盤２１を中心として一対の操作桿２２・２２を時計方向Ｒに回転することで（図３（Ａ）参照）、一対の係合アーム２３・２３を介してステム５１を時計方向Ｒに回転できる。そして、手動式バルブ５を閉じることができる。
【００６２】
一方、図２又は図３（Ｂ）を援用すると共に、図４を参照して、嵌合穴２１ｈに延出端部５１１を挿入し、一対の操作桿２２・２２の把持部２２１・２２２を両手で把持し、円盤２１を中心として一対の操作桿２２・２２を反時計方向Ｌに回転することで（図３（Ａ）参照）、一対の係合アーム２３・２３を介してステム５１を反時計方向Ｌに回転できる。そして、手動式バルブ５を開くことができる。
【００６３】
図４を参照して、第２実施形態によるウィルキー２０は、第１実施形態によるウィルキー１０と同様な効果を奏するが、互いに相反する向きに配置した棒状の第１ノブｋ１及び第２ノブｋ２は、掌で握り易く、円盤２１を中心として一対の係合アーム２３・２３を回転し易いという、特別な効果がある。
【００６４】
［第３実施形態］
（ウィルキーの構成）
次に、本発明の第３実施形態によるウィルキーの構成を説明する。図５は、本発明の第３実施形態によるウィルキーの構成を示す斜視図であり、図５（Ａ）は、ウィルキーを操作側から観た状態図、図５（Ｂ）は、ウィルキーを操作側と反対側から観た状態図である。
【００６５】
なお、第１実施形態で使用した符号と同じ符号を有する構成品は、その作用を同じとするので、以下説明を省略することがある。
【００６６】
図５を参照すると、本発明の第３実施形態によるウィルキー３０は、円盤３１、一対の操作桿３２・３２、及び一対の短尺の係合アーム３３・３３を備えている。円盤３１は、ハブ５２の一方の面に当接できる（図２参照）。一対の操作桿３２・３２は、円盤３１から遠心方向に相反する向きに延出している。又、一対の操作桿３２・３２は、リム５４の外周を超える長さを有している（図３参照）。
【００６７】
図５を参照すると、一対の係合アーム３３・３３は、操作桿３２が延びる方向と略直角に、操作桿３２の中間部から平行に延出している。そして、一対の係合アーム３３・３３は、スポーク５３の外周に当接できる（図３（Ａ）参照）。一対の操作桿３２・３２は、両手で把持自在な把持部３２１・３２１を末端部に有している。把持部３２１は、操作桿３２の末端部に形成した球状の第３ノブｋ３を有している。
【００６８】
図５を参照すると、円盤３１は、嵌合穴３１ｈを中心部に開口している。嵌合穴３１ｈには、延出端部５１１を挿入でき、延出端部５１１と回転自在に嵌合できる。
【００６９】
（ウィルキーの作用）
次に、第３実施形態によるウィルキー３０の操作方法を説明しながら、ウィルキー３０の作用及び効果を説明する。
【００７０】
図２又は図３（Ｂ）を援用すると共に、図５を参照して、最初に、一対の係合アーム３３・３３がハンドル５０に対向するように、ウィルキー３０をハンドル５０に向かって移動する。次に、嵌合穴３１ｈに延出端部５１１を挿入し、一対の操作桿３２・２２の第３ノブｋ３・ｋ３を両手で把持し、円盤３１を中心として一対の操作桿３２・３２を時計方向Ｒに回転することで（図３（Ａ）参照）、一対の係合アーム３３・３３を介してステム５１を時計方向Ｒに回転できる。そして、手動式バルブ５を閉じることができる。
【００７１】
一方、図２又は図３（Ｂ）を援用すると共に、図５を参照して、嵌合穴３１ｈに延出端部５１１を挿入し、一対の操作桿３２・３２の第３ノブｋ３・ｋ３を両手で把持し、円盤３１を中心として一対の操作桿３２・３２を反時計方向Ｌに回転することで（図３（Ａ）参照）、一対の係合アーム３３・３３を介してステム５１を反時計方向Ｌに回転できる。そして、手動式バルブ５を開くことができる。
【００７２】
図５を参照して、第３実施形態によるウィルキー３０は、第１実施形態によるウィルキー１０及び第２実施形態によるウィルキー２０と同様な効果を奏するが、球状の第３ノブｋ３は、掌で握り易く、円盤３１を中心として一対の係合アーム３３・３３を回転し易いという、特別な効果がある。
【００７３】
［第４実施形態］
（ウィルキーの構成）
次に、本発明の第４実施形態によるウィルキーの構成を説明する。図６は、本発明の第４実施形態によるウィルキーの構成を示す斜視図であり、図６（Ａ）は、ウィルキーを操作側から観た状態図、図６（Ｂ）は、ウィルキーを操作側と反対側から観た状態図である。
【００７４】
なお、第１実施形態で使用した符号と同じ符号を有する構成品は、その作用を同じとするので、以下説明を省略することがある。
【００７５】
図６を参照すると、本発明の第４実施形態によるウィルキー４０は、円盤４１、一対の操作桿４２・４２、及び一対の短尺の係合アーム４３・４３を備えている。円盤４１は、ハブ５２の一方の面に当接できる（図２参照）。一対の操作桿４２・４２は、円盤４１から遠心方向に相反する向きに延出している。又、一対の操作桿４２・４２は、リム５４の外周を超える長さを有している（図３参照）。
【００７６】
図６を参照すると、一対の係合アーム４３・４３は、操作桿４２が延びる方向と略直角に、操作桿４２の中間部から平行に延出している。そして、一対の係合アーム４３・４３は、スポーク５３の外周に当接できる（図３（Ａ）参照）。一対の操作桿４２・４２は、両手で把持自在な把持部４２１・４２１を末端部に有している。
【００７７】
図６を参照すると、把持部４２１は、球状の第４ノブｋ４を有している。一対の第４ノブｋ４・ｋ４は、係合アーム４３が延びる方向と反対方向に配置されている。
【００７８】
図６を参照すると、円盤４１は、嵌合穴４１ｈを中心部に開口している。嵌合穴４１ｈには、延出端部５１１を挿入でき、延出端部５１１と回転自在に嵌合できる。
【００７９】
（ウィルキーの作用）
次に、第４実施形態によるウィルキー４０の操作方法を説明しながら、ウィルキー４０の作用及び効果を説明する。
【００８０】
図２又は図３（Ｂ）を援用すると共に、図６を参照して、最初に、一対の係合アーム４３・４３がハンドル５０に対向するように、ウィルキー４０をハンドル５０に向かって移動する。次に、嵌合穴４１ｈに延出端部５１１を挿入し、一対の操作桿４２・４２の第４ノブｋ４・ｋ４を両手で把持し、円盤４１を中心として一対の操作桿４２・４２を時計方向Ｒに回転することで（図３（Ａ）参照）、一対の係合アーム４３・４３を介してステム５１を時計方向Ｒに回転できる。そして、手動式バルブ５を閉じることができる。
【００８１】
一方、図２又は図３（Ｂ）を援用すると共に、図６を参照して、嵌合穴４１ｈに延出端部５１１を挿入し、一対の操作桿４２・４２の第４ノブｋ４・ｋ４を両手で把持し、円盤４１を中心として一対の操作桿４２・４２を反時計方向Ｌに回転することで（図３（Ａ）参照）、一対の係合アーム４３・４３を介してステム５１を反時計方向Ｌに回転できる。そして、手動式バルブ５を開くことができる。
【００８２】
図６を参照して、第４実施形態によるウィルキー４０は、第１実施形態から第３実施形態によるウィルキー１０・２０・３０と同様な効果を奏するが、球状の第４ノブｋ４は、掌で握り易く、一対の第４ノブｋ４・ｋ４を把持して、一対の操作桿４２・４２をリム５４に押さえながら（図２参照）、円盤４１を中心として一対の係合アーム４３・４３を回転し易いという、特別な効果がある。
【００８３】
本発明によるウィルキーは、一対の操作桿がリムの外周を超える長さを有しているので、一対の操作桿の末端部を把持して回転することで、ステムの回転トルクを増加できる、という効果がある。
【００８４】
又、本発明によるウィルキーは、操作桿の末端部を両手で把持して、円盤を中心に一対の操作桿を回転し、一対の係合アームを介してステムを回転することで、手動式バルブには、ステムの回転トルクのみが作用するので、手動式バルブに連結した配管を変形させることなく、手動式バルブを容易に開閉できる、という効果がある。
【符号の説明】
【００８５】
５  手動式バルブ
１０  ウィルキー
１１  円盤
１２  操作桿
１３  係合アーム
５０  ハンドル
５１  ステム
５２  ハブ
５３  スポーク
５４  リム
１２１  把持部
【図１】
0006520236.tif 000002
【図２】
0006520236.tif 000003
【図３】
0006520236.tif 000004
【図４】
0006520236.tif 000005
【図５】
0006520236.tif 000006
【図６】
0006520236.tif 000007
【図７】
0006520236.tif 000008
【図８】
0006520236.tif 000009
【図９】
0006520236.tif 000010
【図１０】
0006520236.tif 000011
【図１１】
0006520236.tif 000012
【図１２】
0006520236.tif 000013